(57)【要約】【課題】利便性を向上できる包装容器を提供する。【解決手段】対向する前面部１１と背面部１２とを有して上部に内容物を取り出す取出口１０ａが開口する箱状の本体部１０と、背面部１２の上端に連設して折曲されるとともに本体部１０の前面上部を覆う蓋前面部２１を有して取出口１０ａを開閉する蓋部２０とを備えた包装容器１において、本体部１０が前面部１０に面した仕切板１６を有して前面部１１と仕切板１６との間に薄状部材の収納部１９を形成するとともに、収納部１９の上部に薄状部材の挿通口１９ａを形成し、蓋前面部２１を前面部１１よりも背面側に配置して蓋部２０を閉じることができるようにした。【選択図】図４
2014181066.tif 000002
【特許請求の範囲】
【請求項１】
対向する前面部と背面部とを有して上部に内容物を取り出す取出口が開口する箱状の本体部と、前記背面部の上端に連設して折曲されるとともに前記本体部の前面上部を覆う蓋前面部を有して前記取出口を開閉する蓋部とを備えた包装容器において、前記本体部が前記前面部に面した仕切板を有して前記前面部と前記仕切板との間に薄状部材の収納部を形成するとともに、前記収納部の上部に薄状部材の挿通口を形成し、前記蓋前面部を前記前面部よりも背面側に配置して前記蓋部を閉じることができることを特徴とする包装容器。
【請求項２】
前記挿通口よりも下方で前記収納部が露出する窓部を前記前面部に形成したことを特徴とする請求項１に記載の包装容器。
【請求項３】
前記蓋前面部を前記仕切板の背面側に挿入して前記蓋部が閉じられることを特徴とする請求項１または請求項２に記載の包装容器。
【請求項４】
前記仕切板の上部を開口した第１開口部と、第１開口部に面して前記前面部の上部を開口した第２開口部とを設け、第２開口部の下端が第１開口部の下端よりも下方に配されることを特徴とする請求項３に記載の包装容器。
【請求項５】
前記蓋部を第１開口部の下部が開放される所定位置まで開いた際に前記蓋前面部が前記本体部に係止され、第１開口部によって前記取出口が形成されることを特徴とする請求項４に記載の包装容器。
【請求項６】
前記仕切板が前記前面部よりも上方に延びて形成され、前記蓋前面部の下端部が前記仕切板に設けたスリットに挿入されることを特徴とする請求項３に記載の包装容器。
【請求項７】
前記前面部の上部を開口した開口部を設け、前記蓋前面部を前記収納部内に挿入して前記蓋部が閉じられることを特徴とする請求項１または請求項２に記載の包装容器。
【発明の詳細な説明】
【技術分野】
【０００１】
本発明は、ガム等の内容物と捨て紙等の添付物とを別々に収納する包装容器に関する。
【背景技術】
【０００２】
ガムと捨て紙とを収納する包装容器は特許文献１に開示される。この包装容器は前面部と背面部とを有して上面にガムの取出口が開口する箱状の本体部と、取出口を開閉する蓋部とを備えている。蓋部は背面部の上端に連設して折曲可能に形成され、前面部の上部を覆う蓋前面部が設けられる。
【０００３】
本体部には前面部に面して仕切板が配され、前面部と仕切板との間に捨て紙の収納部が形成される。前面板の上部にはスリットが形成され、スリットを介して捨て紙が収納部に出し入れされる。スリットの上端には、弾性を有して捨て紙の収納部内への落下を防止するフラップが設けられる。
【０００４】
蓋部により取出口が閉じられると、蓋前面部によってスリットが覆われる。この時、蓋部の側面によって本体部の側面の上部が覆われる。蓋部が開かれると取出口を介してガムを取り出すことができるとともに、スリットに挿入された捨て紙を取り出すことができる。噛み終わったガムは捨て紙に包んで廃棄される。
【先行技術文献】
【特許文献】
【０００５】
【特許文献１】特許第４９４４６４９号公報（第３頁〜第７頁、第２図）
【発明の概要】
【発明が解決しようとする課題】
【０００６】
しかしながら、上記従来の包装容器によると、捨て紙を取り出す場合に蓋部を開くため手間がかかる。また、蓋を開くことによって取出口から誤ってガムを落とす場合がある。このため、包装容器の利便性が悪い問題があった。
【０００７】
本発明は、利便性を向上できる包装容器を提供することを目的とする。
【課題を解決するための手段】
【０００８】
上記目的を達成するために本発明は、対向する前面部と背面部とを有して上部に内容物を取り出す取出口が開口する箱状の本体部と、前記背面部の上端に連設して折曲されるとともに前記本体部の前面上部を覆う蓋前面部を有して前記取出口を開閉する蓋部とを備えた包装容器において、前記本体部が前記前面部に面した仕切板を有して前記前面部と前記仕切板との間に薄状部材の収納部を形成するとともに、前記収納部の上部に薄状部材の挿通口を形成し、前記蓋前面部を前記前面部よりも背面側に配置して前記蓋部を閉じることができることを特徴としている。
【０００９】
この構成によると、箱状の本体部の仕切板と背面部との間にガム等の内容物が収納され、前面部と仕切板との間の収納部に捨て紙等の薄状部材が挿通口を介して挿入される。蓋部が開かれると取出口を介して内容物が取り出される。取出口は本体部の上面に設けてもよく、本体部の前面に露出する仕切板に設けてもよい。蓋部により取出口が閉じられると、蓋部の蓋前面部は本体部の前面部よりも背面側に配置される。薄状部材は蓋部を閉じた状態で蓋前面部または仕切板の前面に沿って収納部に対して出し入れされる。
【００１０】
また本発明は、上記構成の包装容器において、前記挿通口よりも下方で前記収納部が露出する窓部を前記前面部に形成したことを特徴としている。この構成によると、窓部を介して手指が薄状部材に摺動し、薄状部材が手指との摩擦によって挿通口に導かれる。
【００１１】
また本発明は、上記構成の包装容器において、前記蓋前面部を前記仕切板の背面側に挿入して前記蓋部が閉じられることを特徴としている。この構成によると、収納部に配した薄状部材と蓋前面部との接触が防止される。
【００１２】
また本発明は、上記構成の包装容器において、前記仕切板の上部を開口した第１開口部と、第１開口部に面して前記前面部の上部を開口した第２開口部とを設け、第２開口部の下端が第１開口部の下端よりも下方に配されることを特徴としている。この構成によると、第１開口部内に露出する蓋前面部に手指を摺動して蓋部が開かれる。また、第２開口部内に露出する仕切板に沿って薄状部材が出し入れされる。
【００１３】
また本発明は、上記構成の包装容器において、前記蓋部を第１開口部の下部が開放される所定位置まで開いた際に前記蓋前面部が前記本体部に係止され、第１開口部によって前記取出口が形成されることを特徴としている。この構成によると、蓋部を開くと第１開口部が下方から開放され、所定位置で蓋前面部が本体部に係止される。そして、開放された第１開口部を介して内容物が取り出される。
【００１４】
また本発明は、上記構成の包装容器において、前記仕切板が前記前面部よりも上方に延びて形成され、前記蓋前面部の下端部が前記仕切板に設けたスリットに挿入されることを特徴としている。この構成によると、蓋前面部の下端部がスリットに挿入されて仕切板の背面側に配され、薄状部材が仕切板及び蓋前面部の前面に沿って出し入れされる。
【００１５】
また本発明は、上記構成の包装容器において、前記前面部の上部を開口する開口部を設け、前記蓋前面部を前記収納部内に挿入して前記蓋部が閉じられることを特徴としている。この構成によると、開口部内に露出する蓋前面部に手指を摺動して蓋部が開かれる。また、収納部内に挿入した蓋前面部の前面に沿って薄状部材が出し入れされる。
【発明の効果】
【００１６】
本発明によると、蓋前面部を前面部よりも背面側に配置して蓋部を閉じることができるので、前面部と仕切板との間の収納部内に配される薄状部材が蓋部を開かずに出し入れされる。従って、包装容器の利便性を向上することができる。
【図面の簡単な説明】
【００１７】
【図１】本発明の第１実施形態の包装容器の開封前を示す斜視図
【図２】本発明の第１実施形態の包装容器を示す展開図
【図３】本発明の第１実施形態の包装容器の蓋部を閉じた状態を示す斜視図
【図４】本発明の第１実施形態の包装容器の蓋部を開いた状態を示す斜視図
【図５】本発明の第２実施形態の包装容器の開封前を示す斜視図
【図６】本発明の第２実施形態の包装容器を示す展開図
【図７】本発明の第２実施形態の包装容器の蓋部を開いた状態を示す斜視図
【図８】本発明の第２実施形態の包装容器の蓋部を閉じた状態を示す斜視図
【図９】本発明の第３実施形態の包装容器の開封前を示す斜視図
【図１０】本発明の第３実施形態の包装容器を示す展開図
【図１１】本発明の第３実施形態の包装容器の蓋部を開いた状態を示す斜視図
【図１２】本発明の第３実施形態の包装容器の蓋部を閉じる際の状態を示す斜視図
【発明を実施するための形態】
【００１８】
以下に図面を参照して本発明の実施形態を説明する。図１は第１実施形態の包装容器の開封前の斜視図を示している。包装容器１は紙容器から成り、ガム（不図示）及び捨て紙Ｐ（図３参照）が収納される。包装容器１は対向する前面部１１及び背面部１２（図２参照）を有した箱状の本体部１０と、本体部１０の上部を開閉する蓋部２０とを有している。
【００１９】
蓋部２０は前面部１１の上部を覆う蓋前面部２１を有し、包装容器１の開封前の状態では蓋前面部２１が前面部１１に糊付けされている。前面部１１の下部には詳細を後述する窓部１１ｂが形成される。
【００２０】
図２は包装容器１の展開図を示している。包装容器１は図中、一点鎖線で示す折り線３０で折曲される。本体部１０は前面部１１、背面部１２、側面部１３、上面部１４、底面部１５及び仕切板１６を有している。蓋部２０は蓋前面部２１及び蓋上面部２４を有している。
【００２１】
前面部１１の両側方には折り線３０を介して側面部１３が連設され、下方には折り線３０を介して底面部１５が連設される。両側面部１３にはそれぞれ折り線３０を介して上方に上面部１４が連設され、下方に折曲片１８ａが連設される。一方の側面部１３の側方には背面部１２、糊代１７ａ、仕切板１６、糊代１７ａが折り線３０を介して順に連設される。背面部１２の下方には折り線３０を介して糊代１７ｂが連設される。背面部１２の上方には蓋上面部２４、蓋前面部２１がそれぞれ折り線３０を介して連設される。これにより、蓋部２０が背面部１２に対して折曲可能に形成される。
【００２２】
折曲片１８ａは糊代１７ｂの内面に面して折曲され、糊代１７ｂは底面部１５の内面に糊付けされる。糊代１７ａは側面部１３の内面に糊付けされる。また、糊代１７ａの横幅は側面部１３の横幅よりも狭く形成される。これにより、互いに対向する前面部１１と仕切板１６との間には前後方向に所定の隙間を有した収納部１９（図３参照）が形成される。
【００２３】
仕切板１６の上部には正面視略矩形の開口部１６ａ（第１開口部）が上端から切り欠いて形成される。前面部１１の上部には開口部１６ａに面して正面視略矩形の開口部１１ａ（第２開口部）が上端から切り欠いて形成される。この時、開口部１６ａは開口部１１ａよりも開口面積が小さく、開口部１１ａ内に仕切板１６が露出して開口部１１ａの下端が開口部１６ａの下端よりも下方に配される。
【００２４】
また、前面部１１の開口部１１ａよりも下方にはリーフ形状の窓部１１ｂが開口する。窓部１１ｂによって収納部１９（図３参照）内が露出する。
【００２５】
蓋部２０の蓋前面部２１の上端（組み立てた際の下端）の両側部には切欠き２１ｂが形成され、切欠き部２１ｂの上方には側方に突出する係止部２１ａが形成される。係止部２１ａは後述するように本体部１０の上面部１４に係止される。
【００２６】
各折り線３０で折曲して各糊代１７ａ、１７ｂを糊付けすることにより、図１に示す包装容器１が組み立てられる。そして、ガム及び捨て紙Ｐ（図３参照）が本体部１０の上面または開口部１６ａを介して仕切板１６と背面板１２との間に充填される。その後、蓋前面部２１の下部が前面部１１に糊付けされる。
【００２７】
図３は開封後の包装容器１の蓋部２０を閉じた状態を示している。前面部１１に糊付けされた蓋前面部２１を剥がすと蓋部２０が開かれ、蓋前面部２１を仕切板１６の背面側に挿入して蓋部２０が閉じられる。この時、蓋部２０には側面部１３を覆う部分が形成されないので蓋前面部２１を仕切板１６の背面側に容易に挿入することができる。これにより、包装容器１の前面には開口部１１ａが露出し、開口部１１ａ内に仕切板１６及び仕切板１６に設けた開口部１６ａが露出する。
【００２８】
包装容器１内のガムと同じ領域に収納された捨て紙Ｐは開封後に取り出され、収納部１９（図３参照）内に収納される。前面部１１の上端と仕切板１６との間には収納部１９に収納される捨て紙Ｐを挿通する挿通口１９ａが形成される。この時、開口部１１ａの周縁も挿通口１９ａの一部を形成する。捨て紙Ｐは仕切板１６の前面に沿って挿通口１９ａを介して出し入れされる。
【００２９】
収納部１９内に配される捨て紙Ｐは窓部１１ｂを介して視認することができる。尚、包装容器１の開封前の状態で捨て紙Ｐを収納部１９に収納してもよい。また、開口部１１ａの上端が開放されるが、上端を閉じた孔により開口部１１ａを形成してもよい。この時、開口部１１ａにより形成される挿通口を介して捨て紙Ｐを収納部１９内に収納してもよい。
【００３０】
収納部１９に配された捨て紙Ｐが開口部１１ａよりも下方に挿入された場合は、窓部１１ｂを介して捨て紙Ｐに手指を摺動させる。これにより、捨て紙Ｐは手指との摩擦によって上方に導かれ、挿通口１９ａから取り出すことができる。
【００３１】
次に、蓋部２０を開く際に、開口部１６ａを介して蓋前面部２１に手指を摺動させると、蓋部２０が手指との摩擦によって上方に導かれる。これにより、図４に示すように開口部１１ａが下方から開放され、蓋前面部２１の係止部２１ａ（図１参照）が本体部１０の上面部１４（図２参照）に係止される。そして、本体部１０の上部に開口部１１ａによって形成される取出口１０ａを介してガムを取り出すことができる。取出口１０ａは蓋部２０を閉じた状態で蓋前面部２１により塞がれる。
【００３２】
また、蓋部２０を更に開くと係止部２１ａが上面部１４を乗り越え、本体部１０の上面の両上面部１４（図２参照）間からガムを取り出すことができる。蓋部２０を閉じた状態では本体部１０の上面が蓋上面部２４により塞がれる。従って、本体部１０の上面にも蓋部２０により開閉されるガムの取出口が形成される。
【００３３】
本実施形態によると、前面部２１の背面に対向する仕切板１６よりも背面に蓋前面部２１を配置して取出口１０ａを開閉する蓋部２０を閉じることができる。これにより、前面部１１と仕切板１６との間の収納部１９内に配される捨て紙Ｐが蓋部２０を開かずに出し入れされる。また、蓋部２０が閉じられる際に蓋前面部２１の下端が収納部１９内の捨て紙Ｐに当接しないため、容易に蓋部２０を閉じることができる。従って、包装容器１の利便性を向上することができる。
【００３４】
また、挿通口１９ａよりも下方で収納部１９が露出する窓部１１ｂが前面部１１に形成される。これにより、収納部１９内の捨て紙Ｐの有無を窓部１１ｂから視認できる。また、収納部１９の下部に配された捨て紙Ｐに窓部１１ｂを介して手指を摺動し、捨て紙Ｐを挿通口１９ａに導くことができる。従って、包装容器１の利便性をより向上することができる。
【００３５】
また、仕切板１６の上部を開口した開口部１６ａ（第１開口部）の下端よりも開口部１６ａに面して前面部１１の上部を開口した開口部１１ａ（第２開口部）の下端が下方に配される。これにより、開口部１６ａを介して手指を蓋前面部２１に摺動し、蓋部２０を容易に開くことができるとともに、開口部１１ａ内に露出する仕切板１６に沿って捨て紙Ｐを容易に出し入れすることができる。従って、包装容器１の利便性をより向上することができる。
【００３６】
また、蓋部２０を開口部１６ａの下部が所定位置まで開放されると蓋前面部２１の係止部２１ａが本体部１０の上面部１４に係止され、開口部１６ａによってガムの取出口１０ａが形成される。これにより、ガムが誤って大量に排出されないように、取出口１０ａを容易に所望の大きさに形成することができる。
【００３７】
次に、図５は第２実施形態の包装容器１の開封前の斜視図を示している。説明の便宜上、前述の図１〜図４に示す第１実施形態と同様の部分には同一の符号を付している。本実施形態は本体部１０の上部及び蓋部２０の構造が第１実施形態と異なっている。その他の部分は第１実施形態と同様である。
【００３８】
包装容器１の本体部１０の前面部１１と蓋部２０の蓋前面部２１とは上下に分離して設けられる。前面部１１の上端には略半楕円形状に切欠いた開口部１１ａが形成される。開口部１１ａの下方には窓部１１ｂが設けられる。蓋前面部２１の下端には開口部１１ａと略同一形状の突出部２１ｃが下方に突出して形成される。
【００３９】
図６は包装容器１の展開図を示している。包装容器１は図中、一点鎖線で示す折り線３０で折曲され、図中、破線で示す切断線３１、３２で切断される。本体部１０は前面部１１、背面部１２、側面部１３、底面部１５及び仕切板１６を有している。蓋部２０は蓋前面部２１、蓋背面部２２、蓋側面部２３及び蓋上面部２４を有している。
【００４０】
前面部１１の両側方には折り線３０を介して側面部１３が連設され、下方には折り線３０を介して底面部１５が連設される。一方の側面部１３の側方には背面部１２、糊代１７ａ、仕切板１６、糊代１７ａが折り線３０を介して順に連設される。前面部１１の上方には切断線３１を介して蓋前面部２１が連設され、蓋前面部２１の上方には折り線３０を介して蓋上面部２４が連設される。
【００４１】
両側面部１３の上方には切断線３１を介して蓋側面部２３が連設され、蓋側面部２３は折り線３０を介して蓋前面部２１に連設している。側面部１３と蓋側面部２３との間の切断線３１は前面側が下がるように傾斜する。両側面部１３の下方には折り線３０を介して折曲片１８ａが連設され、蓋側面部２３の上方には折り線３０を介して折曲片１８ｂが連設される。
【００４２】
背面部１２の上方には折り線３０を介して蓋背面部２２が連設され、蓋背面部２２の一方の側端は折り線３０を介して蓋側面部２３に連設している。背面部１２の下方には折り線３０を介して糊代１７ｂが連設され、蓋背面部２２の上方には折り線３０を介して糊代１７ｄが連設される。
【００４３】
仕切板１６と背面部１２との間の糊代１７ａの上方には切断線３２を介して糊代１７ｃが連設される。糊代１７ｃは糊代１７ａの横幅の約１／２の横幅に形成され、折り線３０を介して蓋背面部２２に連設している。糊代１７ｃの下端の切断線３２は側面部１３と蓋側面部２３との間の切断線３１と同様に傾斜する。
【００４４】
折曲片１８ａは糊代１７ｂの内面に面して折曲され、糊代１７ｂは底面部１５の内面に糊付けされる。折曲片１８ｂは糊代１７ｄの内面に面して折曲され、糊代１７ｄは蓋上面部２４の内面に糊付けされる。糊代１７ａは側面部１３の内面に糊付けされ、糊代１７ｃは一方の蓋側面部２３の内面に糊付けされる。これにより、包装容器１が箱状に組み立てられ、本体部１０に対して蓋部２０が背面側で折曲して開閉可能に形成される。尚、折り線３０で折曲して包装容器１を箱状に組み立てた後に切断線３１、３２で切断してもよい。
【００４５】
前面部１１の上端には切断線３１での切断によって開口部１１ａが形成される。これにより、蓋前面部２１の下端には開口部１１ａと略同一形状の突出部２１ｃが形成される。前面部１１の開口部１１ａよりも下方には第１実施形態と同様のリーフ形状の窓部１１ｂが開口する。
【００４６】
仕切板１６は前面部１１よりも上方に延びて形成され、突出部２１ｃと同じ高さにスリット１６ｃが形成される。スリット１６ｃの横幅は突出部２１ｃよりも若干大きく形成され、突出部２１ｃが挿通可能になっている。
【００４７】
図７は包装容器１の蓋部２０を開いた状態を示している。本体部１０の仕切板１６は前面部１１よりも上方に延びて形成され、蓋部２０は蓋側面部２３を有するため仕切板１６に被嵌される箱状に形成される。蓋部２０によって本体部１０の上面に形成される取出口１０ａが開閉される。
【００４８】
蓋部２０を開いて本体部１０の上面の取出口１０ａを介してガム及び捨て紙Ｐが包装容器１内に充填され、蓋部２０が本体部１０に被嵌される。包装容器１が開封されると蓋部２０を開き、取出口１０ａを介してガム及び捨て紙Ｐが取り出される。取出口１０ａから取り出された捨て紙Ｐは前面部１１の上端と仕切板１６との間の挿通口１９ａを介して仕切板１６の前面に沿って収納部１９内に収納される。
【００４９】
図８は包装容器１の開封後に蓋部２０を閉じた状態を示している。蓋部２０は仕切板１６に被嵌され、本体部１０の前面上部の仕切板１６が蓋前面部２１により覆われる。蓋前面部２１の下端の突出部２１ｃ（図７参照）はスリット１６ｃに挿通される。これにより、突出部２１ｃが仕切板１６の背面側に配置される。蓋側面部２３を有して箱状に形成される蓋部２０の蓋前面部２１の下端から突出部２１ｃが突出するため、突出部２１ｃを仕切板１６の背面側に容易に配置することができる。
【００５０】
蓋部２０を閉じた状態で、包装容器１の前面には開口部１１ａ内に仕切板１６が露出する。前面部１１と仕切板１６との間の収納部１９に収納される捨て紙Ｐは仕切板１６及び蓋前面部２１の前面に沿って出し入れされる。
【００５１】
本実施形態によると、前面部２１の背面に対向する仕切板１６よりも背面に蓋前面部２１の突出部２１ｃを配置して取出口１０ａを開閉する蓋部２０を閉じることができる。これにより、前面部１１と仕切板１６との間の収納部１９内に配される捨て紙Ｐが蓋部２０を開かずに出し入れされる。また、蓋部２０が閉じられる際に蓋前面部２１の下端が収納部１９内の捨て紙Ｐに当接しないため、容易に蓋部２０を閉じることができる。従って、包装容器１の利便性を向上することができる。
【００５２】
また、仕切板１６が前面部１１よりも上方に延びて形成され、蓋前面部２１の下端部の突出部２１ｃが仕切板１６に設けたスリット１６ｃに挿入される。これにより、蓋部２０の閉止状態を維持し、収納部１９内の捨て紙Ｐを仕切板１６及び蓋前面部２１の前面に沿って出し入れする包装容器１を容易に実現することができる。
【００５３】
次に、図９は第３実施形態の包装容器１の開封前の斜視図を示している。説明の便宜上、前述の図１〜図４に示す第１実施形態と同様の部分には同一の符号を付している。本実施形態は本体部１０の上部及び蓋部２０の構造が第１実施形態と異なっている。その他の部分は第１実施形態と同様である。
【００５４】
蓋部２０は前面部１１の上部を覆う蓋前面部２１を有し、包装容器１の開封前の状態では蓋前面部２１が前面部１１に糊付けされている。前面部１１の下部には第１実施形態と同様のリーフ形状の窓部１１ｂが形成される。
【００５５】
図１０は包装容器１の展開図を示している。第１実施形態と同様の部分は説明を省略する場合がある。包装容器１は図中、一点鎖線で示す折り線３０で折曲される。本体部１０は前面部１１、背面部１２、側面部１３、上面部１４、底面部１５及び仕切板１６を有している。蓋部２０は蓋前面部２１及び蓋上面部２４を有している。
【００５６】
上面部１４は仕切板１６の上方に折り線３０を介して連設され、上面部１４の上方に折り線３０を介して折曲片１８ｃが連設される。両側面部１３の上方には折り線３０を介して折曲片１８ｂが連設される。
【００５７】
前面部１１には第１実施形態と同様の開口部１１ａ及び窓部１１ｂが形成される。仕切板１６は第１実施形態に設けた開口部１６ａ（図２参照）が省かれ、仕切板１６の上方に連設される上面部１４に取出口１０ａが開口する。これにより、ガムが誤って大量に排出されないように、取出口１０ａを容易に所望の大きさに形成することができる。また、蓋前面部２１は第１実施形態に設けた係止部２１ａ（図２参照）が省かれる。
【００５８】
折曲片１８ａは糊代１７ｂの内面に面して折曲され、糊代１７ｂは底面部１５の内面に糊付けされる。糊代１７ａは側面部１３の内面に糊付けされる。また、折曲片１８ｂは上面部１４の内面に面して折曲され、折曲片１８ｃは背面部１２の内面に面して折曲される。これにより、図９に示す箱状の包装容器１が組み立てられる。ガム及び捨て紙Ｐは上面部１４を開いた状態で本体部１０の上面から充填される。そして、蓋部２０の蓋前面部２１の下部が本体部１０の前面部１１に糊付けされる。
【００５９】
図１１は開封後の包装容器１の蓋部２０を開いた状態を示している。前面部１１に糊付けされた蓋前面部２１を剥がすと蓋部２０が開かれ、上面の取出口１０ａが露出する。これにより、本体部１０内に収納されるガムを取り出すことができる。上面部１４を開いて本体部１０の上面から取り出された捨て紙Ｐは挿通口１９ａを介して仕切板１６に沿って収納部１９内に収納される。
【００６０】
図１２は包装容器１の蓋部２０を閉じる際の状態を示している。蓋前面部２１は前面部１１の上端の挿通口１９ａから仕切板１６の前面に沿って収納部１９内に挿入される。これにより、蓋部２０が閉じられ、蓋前面部２１が前面部１１の背面側に配置される。このため、収納部１９内に配した捨て紙Ｐが蓋部２０を開かずに出し入れされる。
【００６１】
本実施形態によると、前面部２１よりも背面に蓋前面部２１を配置して取出口１０ａを開閉する蓋部２０を閉じることができる。これにより、前面部１１と仕切板１６との間の収納部１９内に配される捨て紙Ｐが蓋部２０を開かずに出し入れされる。従って、包装容器１の利便性を向上することができる。
【００６２】
また、前面部１１の上部を開口した開口部１１ａを設け、蓋前面部２１を収納部１９内に挿入して蓋部２０が閉じられる。これにより、蓋部２０を開かずに収納部１９内の捨て紙Ｐを出し入れする包装容器１を容易に実現することができる。また、開口部１１ａを介して手指を蓋前面部２１に摺動して蓋部２０を容易に開くことができる
【００６３】
第１〜第３実施形態において、ガムの包装容器１について説明しているが、他の内容物の包装容器でもよい。この時、内容物に付随する薄状部材から成る添付物を収納部１９内に収納することにより、同様の効果を得ることができる。例えば、内容物が食品であり、添付物がチャック付き袋等に包装されたトッピングであってもよい。
【産業上の利用可能性】
【００６４】
本発明によると、ガムと捨て紙とを収納する包装容器等の、内容物と内容物に付随する薄状部材の添付物とを収納する包装容器に利用することができる。
【符号の説明】
【００６５】
１    包装容器
１０    本体部
１０ａ  取出口
１１    前面部
１１ａ  開口部
１１ｂ  窓部
１２    背面部
１３    側面部
１４    上面部
１５    底面部
１６    仕切板
１６ａ  開口部
１６ｃ  スリット
１７ａ〜１７ｄ  糊代
１８ａ、１８ｂ、１８ｃ  折曲片
１９    収納部
１９ａ  挿通口
２０    蓋部
２１    蓋前面部
２１ａ  係止部
２１ｃ  突出部
２３    蓋側面部
２４    蓋上面部
３０    折り線
３１、３２  切断線
Ｐ    捨て紙
【図１】
2014181066.tif 000003
【図２】
2014181066.tif 000004
【図３】
2014181066.tif 000005
【図４】
2014181066.tif 000006
【図５】
2014181066.tif 000007
【図６】
2014181066.tif 000008
【図７】
2014181066.tif 000009
【図８】
2014181066.tif 000010
【図９】
2014181066.tif 000011
【図１０】
2014181066.tif 000012
【図１１】
2014181066.tif 000013
【図１２】
2014181066.tif 000014